【事件の表示】
　特許第３１７５６０７号「水性粘着剤組成物」の請求項１〜５に係る特許に対する特許異議の申立てについて、次のとおり決定する。
【結　論】
　訂正を認める。
　特許第３１７５６０７号の請求項１〜３に係る特許を維持する。
【理　由】
１．訂正請求について
（1）訂正の内容
訂正事項ａ
　特許請求の範囲の請求項１が
「 （Ａ）清涼感を付与する物質と、（Ｂ）カモミール、セージ、パセリ、ローズマリー、シモツケギク、シモツケソウ、ヤグルマギク、アニス、ローレル、アンジェリカ、フェンネル、タイムからの抽出物からなる群より選ばれる１種以上の利尿作用を有する精油類及び／又はエキス類とを水性粘着基剤に配合してなることを特徴とする水性粘着剤組成物。」
とあるのを、
「　バッキングに塗布されて貼付剤を形成する浮腫抑制用水性粘着剤組成物であって、（Ａ）清涼感を付与する物質と、（Ｂ）セージ、パセリ、シモツケギク、シモツケソウ、ヤグルマギク、アニス、ローレル、アンジェリカ、タイムからの抽出物からなる群より選ばれる１種以上の利尿作用を有する精油類及び／又はエキス類とを、（Ａ）成分と（Ｂ）成分との合計配合量が組成物全体の ０.０１〜８重量％となるように、ポリアクリル酸とポリアクリル酸の一価金属塩との架橋体を含有し、かつ水分含有量が３０重量％以上の水性粘着基剤に配合してなることを特徴とする浮腫抑制用水性粘着剤組成物。」
と訂正する。
訂正事項ｂ
　特許請求の範囲の請求項４及び５を削除する。
訂正事項ｃ
　明細書の【０００５】が                              
「　即ち、本発明は、（Ａ）清涼感を付与する物質と、（Ｂ）カモミール、セージ、パセリ、ローズマリー、シモツケギク、シモツケソウ、ヤグルマギク、アニス、ローレル、アンジェリカ、フェンネル、タイムからの抽出物からなる群より選ばれる１種以上の利尿作用を有する精油類及び／又はエキス類とを水性粘着基剤に配合してなることを特徴とする水性粘着剤組成物を提供する。ここで、上記（Ａ）清涼感を付与する物質が、……また、上記（Ａ）清涼感を付与する物質と、上記（Ｂ）利尿作用を有する精油類及び／又はエキス類との配合比（重量比）が（Ａ）：（Ｂ）＝１： ０.００１〜２であると、より好適である。そして、上記水性粘着基剤が、ポリアクリル酸とポリアクリル酸塩との架橋体を含有するものであると、より好適である。また、本発明は、清涼感を付与する物質と、カモミール、セージ、パセリ、ローズマリー、シモツケギク、シモツケソウ、ヤグルマギク、アニス、ローレル、アンジェリカ、フェンネル、ラベンダー、タイムからの抽出物からなる群より選ばれる１種以上の利尿作用を有する精油類及び／又はエキス類とを浮腫改善剤として水性粘着基剤に配合したことを特徴とする水性粘着剤組成物を提供する。」とあったものを
「　即ち、本発明は、バッキングに塗布されて貼付剤を形成する浮腫抑制用水性粘着剤組成物であって、（Ａ）清涼感を付与する物質と、（Ｂ）セージ、パセリ、シモツケギク、シモツケソウ、ヤグルマギク、アニス、ローレル、アンジェリカ、タイムからの抽出物からなる群より選ばれる１種以上の利尿作用を有する精油類及び／又はエキス類とを、（Ａ）成分と（Ｂ）成分との合計配合量が組成物全体の ０.０１〜８重量％となるように、ポリアクリル酸とポリアクリル酸の一価金属塩との架橋体を含有し、かつ水分含有量が３０重量％以上の水性粘着基剤に配合してなることを特徴とする浮腫抑制用水性粘着剤組成物を提供する。ここで、上記（Ａ）清涼感を付与する物質が、……また、上記（Ａ）清涼感を付与する物質と、上記（Ｂ）利尿作用を有する精油類及び／又はエキス類との配合比（重量比）が（Ａ）：（Ｂ）＝１：０.００１〜２であると、より好適である。」と訂正する。
　　　
訂正事項ｄ
　明細書の【０００９】が、
「　本発明の（Ｂ）成分の利尿作用を有する精油類及びエキス類は、特定の植物からの抽出により得られるもので、カモミール、セージ、パセリ、ローズマリー、シモツケギク、シモツケソウ、ヤグルマギク、アニス、ローレル、アンジェリカ、フェンネル、ラベンダー、タイム等からの抽出物であり、このような抽出物の具体的な成分として、例えば、………等を挙げることができる。上記精油類及びエキス類は、その１種を単独で、又は２種以上を混合して使用することができる。」とあったものを、
「　本発明の（Ｂ）成分の利尿作用を有する精油類及びエキス類は、特定の植物からの抽出により得られるもので、セージ、パセリ、シモツケギク、シモツケソウ、ヤグルマギク、アニス、ローレル、アンジェリカ、タイム等からの抽出物であり、このような抽出物の具体的な成分として、例えば、……等を挙げることができる。上記精油類及びエキス類は、その１種を単独で、又は２種以上を混合して使用することができる。」と訂正する。
　　
訂正事項ｅ
　明細書の【００１１】が
「　ここで、本発明の水性粘着剤組成物は、その水性粘着基剤として、ポリアクリル酸とポリアクリル酸塩との架橋体を含有する水性粘着基剤を使用するとより好適である。この水性粘着基剤は、……ができる。」とあったものを
「　ここで、本発明の水性粘着剤組成物は、その水性粘着基剤として、ポリアクリル酸とポリアクリル酸塩との架橋体を含有する水性粘着基剤を使用する。この水性粘着基剤は、……ができる。」
に訂正する。
　　　
訂正事項ｆ
　明細書の【００１４】が
「　また、ポリアクリル酸塩としてはポリアクリル酸ナトリウム、ポリアクリル酸カリウム等のポリアクリル酸の一価金属塩、ポリアクリル酸モノエタノールアミン、ポリアクリル酸ジエタノールアミン、……が好適に使用し得る。」とあったものを
「　また、ポリアクリル酸塩としてはポリアクリル酸ナトリウム、ポリアクリル酸カリウム等のポリアクリル酸の一価金属塩が用いられ、これに加えて必要によりポリアクリル酸モノエタノールアミン、ポリアクリル酸ジエタノールアミン、……が好適に使用し得る。」と訂正する。
　　　
訂正事項ｇ
　明細書の【００３０】が
「【発明の効果】
　本発明の水性粘着剤組成物は、……安全性に優れた水性粘着剤組成物を得ることができる。従って、上記清涼感を付与する物質と、カモミール、セージ、パセリ、ローズマリー、シモツケギク、シモツケソウ、ヤグルマギク、アニス、ローレル、アンジェリカ、フェンネル、ラベンダー、タイムからの抽出物……、浮腫の改善を目的として皮膚に使用する組成物として特に有用である。」とあったものを
「【発明の効果】
　本発明の水性粘着剤組成物は、……安全性に優れた水性粘着剤組成物を得ることができる。従って、上記清涼感を付与する物質と、セージ、パセリ、シモツケギク、シモツケソウ、ヤグルマギク、アニス、ローレル、アンジェリカ、タイムからの抽出物……、浮腫の改善を目的として皮膚に使用する組成物として特に有用である。」と訂正する。
　　　　
訂正事項ｈ
　明細書の【００３２】が
「［実施例１〜９、比較例１〜９］
　表１、２に示す……結果を表１及び２に併記する。」とあるのを
「［実施例１〜７、比較例１〜９］
　表１、２に示す……結果を表１及び２に併記する。」と訂正する。
　　　
訂正事項ｉ
明細書の【００３５】の表１を
「
　　　　　　　　　　　　　　　　　　　　　　　　　　　　　　　」
と訂正する。
　　
訂正事項ｊ
明細書の【００３７】が　　
「　表１、２の結果より、……実施例１〜９及び比較例１〜８の貼付剤については、このような問題がなく、良好な粘着性を有していた。」とあるのを
「　表１、２の結果より、……実施例１〜７及び比較例１〜８の貼付剤については、このような問題がなく、良好な粘着性を有していた。」と訂正する。
　　
訂正事項ｋ
明細書の【００３８】が
「　次に、実施例１〜９の貼付剤について、以下の各試験を行った。
気泡混入度
剥離性
凝集力
投錨力
取り出し性
水性粘着剤組成物のｐＨ
「　次に、実施例１〜７の貼付剤について、以下の各試験を行った。
気泡混入度
剥離性
凝集力
投錨力
取り出し性
水性粘着剤組成物のｐＨ
　　
訂正事項ｌ
明細書の【００３９】が
「［実施例１０〜１２］
　表３に示す……上記実施例１〜９及び比較例１〜９と同様にカラゲニン足浮腫試験及びパッチテストを行った。結果を表３に併記する。」とあるのを
「［実施例８〜１０］
　表３に示す……上記実施例１〜７及び比較例１〜９と同様にカラゲニン足浮腫試験及びパッチテストを行った。結果を表３に併記する。」と訂正する。
　　
訂正事項ｍ
明細書の【００４０】の表３を
「　
　　　　　　　　　　　　　　　　　　　　　　　　　　　　　」
と訂正する。
　　
（2）訂正の適否
　訂正事項ａは、訂正前の請求項１の「水性粘着基剤」成分を訂正前の請求項４に記載のものに限定し、水性粘着基剤中へ配合される（Ｂ）成分である「利尿作用を有する精油類」の中の「カモミール、ローズマリー、フェンネル」を削除し、また、（Ａ）成分と（Ｂ）成分の合計配合量、水性粘着剤組成物の形態、及び用途を限定したものであるから、この訂正は、特許請求の範囲の減縮を目的とする訂正に該当する。
　訂正事項ｂは、特許請求の範囲の請求を削除するものであるから、特許請求の範囲の減縮を目的とする訂正に該当する。
　訂正事項ｃ〜ｍは、請求項１の訂正に伴い、明細書の発明の詳細な説明の項の記載を整合させたものであるから、明りょうでない記載の釈明を目的とする訂正に該当する。
　そして、これらの訂正は、特許明細書に記載された範囲内のものであり、特許請求の範囲を拡張し、又は変更するものではない。
　　　　　
　以上のとおりであるから、上記訂正請求は、特許法第１２０条の４第２項及び同条第３項で準用する第１２６条第２〜３項の規定に適合するので、当該訂正を認める。
　　　　　　
２．特許異議申立について　
（1）本件発明
　本件の請求項１〜３に係る発明は、特許明細書の記載からみて、訂正後の特許請求の範囲に記載された次のとおりのものと認められる。
「【請求項１】　バッキングに塗布されて貼付剤を形成する浮腫抑制用水性粘着剤組成物であって、（Ａ）清涼感を付与する物質と、（Ｂ）セージ、パセリ、シモツケギク、シモツケソウ、ヤグルマギク、アニス、ローレル、アンジェリカ、タイムからの抽出物からなる群より選ばれる１種以上の利尿作用を有する精油類及び／又はエキス類とを、（Ａ）成分と（Ｂ）成分との合計配合量が組成物全体の ０.０１〜８重量％となるように、ポリアクリル酸とポリアクリル酸の一価金属塩との架橋体を含有し、かつ水分含有量が３０重量％以上の水性粘着基剤に配合してなることを特徴とする浮腫抑制用水性粘着剤組成物。
【請求項２】上記（Ａ）清涼感を付与する物質が、ｌ−メントール及び／又はｌ−メントールを含有する精油、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイド及びイソプレゴールからなる群から選ばれる１種以上である請求項１記載の水性粘着剤組成物。
【請求項３】上記（Ａ）清涼感を付与する物質と、上記（Ｂ）利尿作用を有する精油類及び／又はエキス類との配合比（重量比）が（Ａ）：（Ｂ）＝１： ０.００１〜２である請求項１又は２記載の水性粘着剤組成物。」
　　　
（2）取消理由通知に引用した刊行物に記載された事項
刊行物１：特開昭６２−５９２１９号公報
　刊行物１には、dl-カンフル、l−メントール、ニクズク油及びウイキョウ油を有効成分とする外用鎮該・去痰・鎮痛・鎮静剤（特許請求の範囲第１項）が記載され、この有効成分を、常法により軟膏剤、クリーム剤、ゲル剤、液剤、パップ剤、粘着性貼付剤などに製剤化して外用剤に供すること（２頁右下欄）、及びパップ剤の場合には、有効成分と基剤成分であるカオリン、グリセリン、アクリル酸ソーダ、ポリビニルアセテート、カルボキシビニルポリマーなどとを練合して製品とすること（３頁右上欄）、実施例５に、dl-カンフル４.０ｇ、ｌ−メントール２.０ｇ、ユーカリ油２.０ｇ、テレピン油５.０ｇ、ニクズク油１.３ｇ、ウイキョウ油 １.０ｇを有効成分とし、グリセリンとカオリン微末を基剤、布をバッキングとするパップ剤が記載されている。
　
刊行物２：特開昭６４−８３０２４号公報
　刊行物２には、水溶性高分子からなる膏体に、かぜ用生薬成分を有効成分として配合したかぜ用パップ剤（特許請求の範囲第１項）が記載され、水溶性高分子はポリアクリル酸又はポリアクリル酸ナトリウムのいずれか一方又は双方を含んでいること（特許請求の範囲第５項）、かぜ用生薬成分には、ういきょう油、カミツレ油、メントールなど（２頁左下〜右下欄）が記載されている。
　
刊行物３：化学工業日報（１９９５年１０月１６日版）
　刊行物３には、熱冷却シート「冷えピタ」（商品名）は高含水性シート「ＰＡＣ−５５」（ポリアクリル酸架橋体）を採用し、ユーカリ、ラベンダー、ハッカの三種の植物成分を配合したものであり、頭痛・歯痛の冷却、勉強や仕事中などの眠気覚ましにも使えることが記載されている。
　
刊行物４：ドイツ特許第３３１６５９７号公報
　刊行物４には、中和された高分子ポリアクリル酸と水をベースとし、色素を含むゲル状の製剤であって、０.１〜１.０重量％の中和ポリアクリル塩、７５〜９６重量％の水、３〜２０重量％のイソプロパノール、０.０５〜０.５重量％のメントール、０.２〜５.０重量％のカンファーを含有するゲル製剤（特許請求の範囲の請求項１）が記載され、この製剤にさらにローズマリー油及び／又はアルニカ花のイソプロパノールの抽出物を含有させること（請求項３）、このゲル状製剤は要求度の高い仕事により痛めた家畜の体の部分を養生するための治療に使われる旨が記載されている。
　
（3）対比・判断
（ア）請求項１に係る発明について
　請求項１に係る発明は、（Ｂ）成分として、セージ、パセリ、シモツケギク、シモツケソウ、ヤグルマギク、アニス、ローレル、アンジェリカ、タイムからの抽出物からなる群より選ばれる１種以上の利尿作用を有する精油類及び／又はエキス類を（Ａ）成分である清涼感を付与する物質と合計配合量が組成物全体の０.０１ 〜８重量％で、水分含有量が３０重量％以上であるポリアクリル酸とポリアクリル酸の一価金属塩との架橋体を含有する水性粘着基剤に配合することによって、外用剤として皮膚に適用した時に、浮腫抑制効果が高いのみならず、皮膚の痛みや発赤を生じることなく、安全性に優れているという顕著な効果（【００３０】）を奏するものである。
　これに対して、刊行物１〜４には、ウイキョウ油（フェンネル）、カミツレ（カモミール）、ラベンダー、又はローズマリーから抽出した精油又はエキスを配合した外用剤が記載されている。しかし、これらの精油又はエキスは、請求項１に係る発明の（Ｂ）成分ではない。そして、各刊行物に記載のウイキョウ油、カミツレ、ラベンダー、ローズマリーは、有効成分としてそれぞれ特有の効果（鎮咳、去痰、鎮痛、鎮静、かぜ用、頭痛・歯痛の冷却、勉強や仕事中などの眠気覚まし、仕事により痛めた家畜の体の部分を養生するための治療）を奏するものであるから、これらとは異なる他の植物（セージ、パセリ、シモツケギク、シモツケソウ、ヤグルマギク、アニス、ローレル、アンジェリカ、タイム）由来の精油又はエキスに置換することは想到できるものではないし、たとえ、置換したとしても、各刊行物に記載されていない請求項１に係る発明の効果を予想できるものでもない。
　したがって、請求項１に係る発明は、刊行物１〜４に記載された発明ではなく、またこれらの刊行物に記載された発明に基づいて当業者が容易に発明をすることができたものでもないから、請求項１に係る発明の特許は特許法第２９条の規定に違反してされたものではない。
　
（イ）請求項２及び３に係る発明について
　請求項２及び３に係る発明は、請求項１に係る発明における（Ａ）成分、及び（Ａ）：（Ｂ）の配合比をさらに限定したものであるから、上記と同様の理由により刊行物１〜４に記載された発明ではなく、これらの刊行物に記載された発明に基づいて当業者が容易に発明をすることができたものでもないから、請求項２及び３に係る発明の特許は特許法第２９条の規定に違反してされたものではない。
　
（ウ）また、その他の異議申立理由及び証拠は、本件特許の請求項１〜３に係る発明の特許を取り消すべき理由として採用することができない。
　　　　　　
　３．むすび
　以上のとおりであるから、特許異議申立の理由及び証拠によっては、本件請求項１〜３に係る発明の特許を取り消すことができない。
　よって、結論のとおり決定する。
【異議決定日】
平成１５年９月１日（２００３．９．１）
【訂正の要旨】
審決（決定）の【理由】欄参照。
（５４）【発明の名称】
水性粘着剤組成物
（５７）【特許請求の範囲】
　【請求項１】　
バッキングに塗布されて貼付剤を形成する浮腫抑制用水性粘着剤組成物であって、
）セ
、シ
、タ
、（Ａ）成分と（Ｂ）成分との合計配合量が組成物全体の０．０１〜８重量％となるように、ポリアクリル酸とポリアクリル酸の一価金属塩との架橋体を含有し、かつ水分含有量が３０重量％以上の水性粘着基材に配合してなることを特徴とする浮腫抑制用
　【請求項２】　上記（Ａ）清涼感を付与する物質が、ｌ−メントール及び／又はｌ−メントールを含有する精油、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイド及びイソプレゴールからなる群から選ばれる１種以上である請求項１記載の水性粘着剤組成物。
　【請求項３】　上記（Ａ）清涼感を付与する物質と、上記（Ｂ）利尿作用を有する精油類及び／又はエキス類との配合比（重量比）が（Ａ）：（Ｂ）＝１：０．００１〜２である請求項１又は２記載の水性粘着剤組成物。
【発明の詳細な説明】
　【０００１】
　【発明の属する技術分野】
　本発明は、浮腫抑制効果が増強されたのみならず、皮膚に対する安全性にも優れた水性粘着剤組成物に関する。
　【０００２】
　【従来の技術及び発明が解決しようとする課題】
　従来より、水性粘着剤組成物は、患部の腫れや熱を冷却によって緩和、除去すると共に、打ち身、捻挫などによる筋肉の炎症や痛みを緩和する外用剤として用いられている。このような炎症に伴う患部の腫れや痛み（浮腫）は、患部に水分が滞留することによって引き起こされるものであり、このような症状に対して、利尿作用を有する精油成分（精油類）及び／又はエキス類が有効であることが知られている（ワンダ・セラー著、「アロマテラピーのための８４の精油成分」、フレグランスジャーナル社）。しかし、利尿作用を有する精油成分及び／又はエキス類を水性粘着基剤中に少量（５重量％以下）配合しただけでは充分な利尿作用が得られず、浮腫改善作用がみられない。一方、充分な浮腫改善作用を得るために精油成分及び／又はエキス類を大量に（１０重量％以上）配合すると、浮腫改善作用は得られるものの、水性粘着剤組成物の物性が変化し、「液ダレ」や「ベタつき」などが生じ、外用剤として用いる場合に使用性の点で問題がある。さらに、皮膚刺激性の点でも、発赤や痒みが生じ、安全性の点においても好ましくない。
　【０００３】
　本発明は、上記事情に鑑みなされたもので、特定の植物から抽出される利尿作用を有する精油類及び／又はエキス類の配合量が少量、例えば５重量％以下であっても優れた浮腫改善効果を有し、外用剤として優れた使用性を有すると共に、皮膚適用時に発赤、カブレ等を起こすことがなく、安全性にも優れた水性粘着剤組成物を提供することを目的とするものである。
　【０００４】
　【課題を解決するための手段及び発明の実施の形態】
　本発明者らは上記目的を達成するため鋭意検討を行った結果、メントール等の清涼感を付与する物質（清涼化剤）と特定の植物から抽出される利尿作用を有する精油類及び／又はエキス類とを水性粘着基剤に配合することにより、皮膚適用時に痛みや発赤等の皮膚刺激を生ずることなく、精油類及び／又はエキス類の配合量が少量、例えば５重量％以下であっても浮腫の改善効果を有意に増強させることを見い出し、本発明をなすに至った。
　【０００５】
　即ち、本発明は、
バッキングに塗布されて貼付剤を形成する浮腫抑制用水性粘着剤組成物であって、
）セ
、シ
、タ
、（Ａ）成分と（Ｂ）成分との合計配合量が組成物全体の０．０１〜８重量％となるように、ポリアクリル酸とポリアクリル酸の一価金属塩との架橋体を含有し、かつ水分含有量が３０重量％以上の水性粘着基剤に配合してなることを特徴とする浮腫抑制用
る。
　【０００６】
　以下、本発明につき更に詳述すると、本発明の水性粘着剤組成物は、（Ａ）清涼感を付与する物質と、（Ｂ）特定の植物から抽出される利尿作用を有する精油類及び／又はエキス類とを必須成分として含有するものである。ここで、本発明のＡ成分である清涼感を付与する物質としては、例えばｌ−メントール、Ｎ−置換−ｐ−メンタン−３−カルボクサミド、３−置換−ｐ−メンタン、２−又は３−置換−ｐ−メンタンジオール、トリアルキル置換シクロヘキサンカルボキシアマイド、イソプレゴール等を挙げることができ、これらを１種単独で又は２種以上を併用して用いることができるが、これらの中でも、特にｌ−メントールが鎮痛抗炎症作用を強く発揮させるので好ましく、ｌ−メントールを単独で、又は他の清涼化剤と併用して使用することが望ましい。なお、ｌ−メントールを使用する場合、ｌ−メントールそのものを配合してもよく、香料成分として精油中に含有されたままの状態、例えばハッカ油等として配合しても差し支えなく、これらを併用してもよい。
　【０００７】
　上記清涼感を付与する物質の配合量は、組成物全体の０．００１〜５％（重量％、以下同様）、特に０．０１〜２％とすることが好ましい。０．００１％未満では、該物質配合の効果を十分に得ることができない場合があり、５％を超えると皮膚への刺激感が強くなる場合がある。
　【０００８】
　本発明の水性粘着剤組成物は、更にＢ成分として特定の植物からの抽出される利尿作用を有する精油類及び／又はエキス類を配合するものであるが、ここで、本発明の場合、精油類とは、原料である植物に特有の芳香を持つ揮発性の油で、水に溶けず、アルコール、二硫化炭素、石油エーテル、脂肪油などに溶ける性質を有した油であり、一般に、これらの精油類は、水蒸気蒸留によって得られる。一方、エキス類とは、例えば、粗末とした生薬に適当な浸出液を加えて、冷浸、温浸またはチンキ剤のパーコレーション法等により浸出し、得られた浸出液を濾過、濃縮、乾燥して調製したものである。浸出液は生薬の性質、ことにその化学成分を考慮して選択されるが、一般的にはエタノールと水との混液が多く用いられ、水、ポリオール類なども用いられる。また、場合によっては酸やアルカリが加えられることもある。従って、エキス類は親水的な成分が多い。
　【０００９】
　本発明の（Ｂ）成分の利尿作用を有する精油類及びエキス類は、特定の植物からの抽出により得られるもので
、セ
、シ
、タ
　【００１０】
　上記精油類及び／又はエキス類の配合量は、清涼感を付与する物質の種類等により種々異なるが、通常、清涼感を付与する物質に対する配合比（重量比）は、清涼感を付与する物質：精油類及び／又はエキス類＝１：０．００１〜２、特に１：０．００３〜１となる量とすることが好ましい。精油類及び／又はエキス類の比率が０．００１未満では精油類やエキス類添加の効果を得ることが困難な場合があり、２を超えると精油類やエキス類添加による皮膚刺激が生じる場合がある。また、清涼感を付与する物質と精油類及び／又はエキス類との合計配合量は、組成物全体の０．０１〜８％、好ましくは０．０１〜５％、より好ましくは０．０２〜３％である。０．０１％未満では精油類やエキス類添加の効果を得ることが困難な場合があり、８％を超えると水性粘着剤組成物の物性が変化する等の問題が生じる場合がある。
　【００１１】
　ここで、本発明の水性粘着剤組成物は、その水性粘着基剤として、ポリアクリル酸とポリアクリル酸塩との架橋体を含有する水性粘着基剤を使用す
る。
　【００１２】
　ポリアクリル酸とポリアクリル酸塩との架橋体は、特に制限されることはなく、公知のものを使用し得るが、例えば特開昭５９−１１０６１４号、同５９−１１０６１６号、同５９−１１０６１７号、同６０−９９１８０号、同６０−２６０５１２号、同６０−２６０５１３号公報等に記載されたポリアクリル酸とポリアクリル酸塩との金属架橋体を含有する水性粘着基剤が好ましい。
　【００１３】
　具体的には、本発明の水性粘着基剤のポリアクリル酸としてはいずれのものでも使用でき、その分子量及び直鎖状、分岐鎖状等の形状には特に制限はないが、分子量１万〜１０００万のものを用いることが好ましく、特に重量平均分子量が１万〜５０万未満、５０万〜２００万未満、２００万〜４００万の平均分子量を有するポリアクリル酸を２種以上組み合わせると、使用感が向上するので好適である。なお、通常のアクリル酸を重合して得られた重合体のほか、カーボポール（商品名：米国グッドリッチ社製）等のアクリル酸重合体を一部架橋したものも好適に使用し得る。
　【００１４】
　また、ポリアクリル酸塩としてはポリアクリル酸ナトリウム、ポリアクリル酸カリウム等のポリアクリル酸の一価金属塩
が用いられ、これに加えて必要により
　【００１５】
　ここで、ポリアクリル酸とポリアクリル酸塩との配合比（重量比）は１：０．１〜１：１０、特に１：１〜１：９とすることが好ましいが、ポリアクリル酸又は塩を一部中和してポリアクリル酸塩が上記比率になるようにしたものを用いても差し支えない。また、ポリアクリル酸及びポリアクリル酸塩の合計配合量は組成物全体の０．５〜２０％、特に１〜１５％とすることが好ましく、０．５％未満では粘着力が不足する場合があり、２０％を超えると粘度が高くなり、製造時の作業性に問題が生じることがある。
　【００１６】
　ここで、本発明の水性粘着基剤は、ポリアクリル酸とポリアクリル酸塩とを適当な架橋剤を添加することにより架橋したものを使用すると好適であり、このような架橋剤としては、ポリアクリル酸とポリアクリル酸塩とを架橋し得る限り、その種類は特に制限されないが、特に、多価金属化合物が好適に使用される。この場合、多価金属化合物としてはマグネシウム化合物、カルシウム化合物、亜鉛化合物、カドミウム化合物、アルミニウム化合物、チタン化合物、錫化合物、鉄化合物、クロム化合物、マンガン化合物、コバルト化合物、ニッケル化合物等が使用し得るが、本発明の水性粘着剤組成物は皮膚に適用するものであり、皮膚に対する安全性を考慮するならば、アルミニウム化合物、マグネシウム化合物、カルシウム化合物等を用いることが好ましい。
　【００１７】
　この場合、アルミニウム化合物、マグネシウム化合物及びカルシウム化合物はいずれのものも好適に使用し得、例えばカリウムミョウバン、アンモニウムミョウバン、鉄ミョウバン等のミョウバン類、水酸化アルミニウム、硫酸アルミニウム、硫酸アルミニウムアンモニウム、硫酸アルミニウムカリウム、塩化アルミニウム、アルミニウムグリシネート、酢酸アルミニウム、酸化アルミニウム、合成ケイ酸アルミニウム、メタケイ酸アルミニウム、水酸化カルシウム、炭酸カルシウム、硫酸カルシウム、硝酸カルシウム、塩化カルシウム、酢酸カルシウム、酸化カルシウム、リン酸カルシウム、水酸化マグネシウム、炭酸マグネシウム、硫酸マグネシウム、酢酸マグネシウム、ケイ酸マグネシウム、酸化マグネシウム、水酸化アルミナ・マグネシウム、メタケイ酸アルミン酸マグネシウム、ケイ酸アルミン酸マグネシウム、合成ヒドロタルサイト、これらの金属を含む複塩等の水溶性化合物、水難溶性化合物の１種又は２種以上を使用し得る。
　【００１８】
　ここで、上記架橋剤の好適な配合量は、その種類により種々異なるが、例えば上記多価金属化合物を使用する場合、その配合量は組成物全体の０．００１〜１０％、特に、０．０１〜５％とすることが好ましい。０．００１％未満では組成物の凝集力が低下する場合があり、１０％を超えると粘着力が低下する場合がある。
　【００１９】
　上記水性粘着基剤の含水率は、３０％以上、特に３５〜７５％であることが好ましい。３０％未満では水性粘着基剤の粘度が高くなり、製造性の面で問題となる場合がある。
　【００２０】
　なお、本発明の水性粘着剤組成物には、本発明の効果を損なわない限り、上記必須成分に加えて必要に応じ湿布シート等に添加されているその他の成分を適宜配合することもできる。但し、本発明の水性粘着剤組成物は皮膚に適用することにより、浮腫抑制効果を付与することを目的として使用するものであり、薬効成分の配合を必須とするものではない。
　【００２１】
　さらに、本発明の水性粘着基剤には、本発明の効果を妨げない範囲でセルロース誘導体及び多価アルコールを添加し得る。この場合、セルロース誘導体としてはいずれのものも使用し得、例えばカルボキシメチルセルロースのアルカリ金属塩、ヒドロキシメチルセルロース、ヒドロキシエチルセルロース、ヒドロキシプロピルセルロース、メチルセルロース等の１種又は２種以上が使用し得るが、特にカルボキシメチルセルロースナトリウム、カルボキシメチルセルロースカリウム等のカルボキシメチルセルロースのアルカリ金属塩が好適に使用し得る。なお、セルロース誘導体を添加する場合、その配合量は組成物全体の１５％以下とすることが好ましい。１５％を超えると粘度が高くなり、製造時の作業性に問題が生じる場合がある。また、多価アルコールとしては通常用いられるいずれのものでも使用し得、例えばグリセリン、ソルビトール、エチレングリコール、ジエチレングリコール、トリエチレングリコール、ポリエチレングリコール、プロピレングリコール、ポリプロピレングリコール、１，３−プロパンジオール、１，４−ブタンジオール、マルチトール、キシリトール等の１種又は２種以上を使用し得る。なお、多価アルコールを添加する場合、その配合量は組成物全体の５０％以下とすることが好ましい。５０％を超えると水性粘着基剤の凝集力が低下し、剥離時に水性粘着基剤が被着体に残る場合が生じる。
　【００２２】
　また、ポリアクリル酸、ポリアクリル酸塩、セルロース誘導体の水溶性高分子物質としては、ポリビニルアルコール、ポリビニルピロリドン、ゼラチン、ペクチン、ビニルピロリドン・ビニルアセテート共重合体、ヒドロキシプロピルセルロース、アルギン酸ナトリウム、キサンタンガム、トラガントなどを使用し得る。なお、これら水溶性高分子を配合する場合、その配合量は組成物全体の１０％以下とすることが好ましい。
　【００２３】
　これら水溶性高分子物質、架橋剤以外の基剤成分としては従来より使用されている成分、例えば、無機粉体、界面活性剤、防腐剤、乳化剤などを添加し得る。
　【００２４】
　無機粉体としてはカオリン、酸化チタン、タルク、ベントナイト、酸化亜鉛、モンモリロナイト、無水ケイ酸などが挙げられる。界面活性剤としてはポリオキシエチレン硬化ヒマシ油、ポリオキシエチレンソルビタン脂肪酸エステル、ポリオキシエチレングリセリン脂肪酸エステル、ポリオキシエチレングリコールエーテル、ポリオキシエチレンアルキルフェニルエーテル、ポリオキシエチレンポリオキシプロピレンアルキルエーテル、ポリオキシエチレンフィトステロール、ソルビタン脂肪酸エステル、グリセリン脂肪酸エステルなどを添加し得る。
　【００２５】
　防腐剤としては、アミノエチルスルホン酸、安息香酸、安息香酸ナトリウム、安息香酸ベンジル、アンソッコウ、液状フェノール、エタノール、エデト酸ナトリウム、塩化セチルピリジニウム、塩化ベンザルコニウム、塩化ベンゼトニウム、乾燥硫酸ナトリウム、カンテン、ｄｌ−カンフル、強力サンプレザ−Ｎ、クエン酸、クエン酸ナトリウム、クロロクレゾール、クロロブタノール、ゲンチジン酸エタノールアミド、サリチル酸、サリチル酸ナトリウム、ジブチルヒドロキシトルエン２，６−ジ−ｔ−ブチル−４−メチルフェノール、セイセプト、ソルビン酸、ソルビン酸カリウム、窒素、チモール、デヒドロ酢酸、デヒドロ酢酸ナトリウム、２−ナフトール、濃塩化ベンザルコニウム液５０、白糖、ハチミツ、パラオキシ安息香酸イソブチル、パラオキシ安息香酸イソプロピル、パラオキシ安息香酸エチル、パラオキシ安息香酸ブチル、パラオキシ安息香酸プロピル、パラオキシ安息香酸メチル、パラホルムアルデヒド、フェニルエチルアルコール、フェノール、プロキセルＧＸＬ、ベンジルアルコール、ホウ酸、ホウ砂、ｄ−ボルネオール、ｌ−メントール、ユーカリ油、硫酸オキシキノリン、イソプロピルメチルフェノール、ウンデシレン酸モノエタノールアミド、塩化ジステアリルジメチルアンモニウム、塩化ステアリルジメチルベンジルアンモニウム、塩化ステアリルトリメチルアンモニウム、塩酸アルキルジアミノエチルグリシン液、塩酸（グルコン酸）クロルヘキシジン、オルトフェニルフェノール、クレゾール、クロラミンＴ、クロルキシレノール、クロルフェネシン、臭化アルキルイソキノリニウム液、臭化ドミフェン、チアントール、トリクロロカルバニリド、パラクロルフェノール、ハロカルバン、２−（２−ヒドロキシ−５−メチルフェニル）ベンゾトリアゾール、ヘキサクロロフェン、レゾルシン、フェノキシエタノールなどを添加し得る。
　【００２６】
　乳化剤としては、アクリル酸メチル・アクリル酸−２−エチルヘキシル共重合樹脂エマルジョン、Ｎ−アシル−Ｌ−グルタミン酸ナトリウム、アトモス３００、アマコールＣＡＢ、アリルグリシジルエーテル、エタノール、エチレングリコールモノメチルエーテル、エマミンＤ５００Ｂ、エマレックスＡＣ−１０、塩化セチルピリジニウム、塩化ベンザルコニウム、塩酸アルキルジアミノエチルグリシン液、オイムルギンＣ１０００、オイムルギンＣ７００、オクチルドデカノール、オレイルアルコール、カラギーナン、カリ石ケン、カルボキシビニルポリマー、カルメロースナトリウム、還元ラノリン、グアーガム、クラウデーベース２５、グリセリン、高度精製卵黄レシチン、サニマル２３４ＮＳ、サニマル２３５、サニマル２５０−Ｃ、サニマル２５０Ｃ（７５）、サニマル２５８Ｂ２、サニマル２５８ＢＡ、サニマル２５８ＢＡ２、サニマル２５８Ｎ、サニマル２６５、サニマル４５１−ＫＴ、サニマル５５−ＨＸ、サニマル５５−ＬＸ、サニマルＤＶＰ、サニマルＫ−５１、サニマルＫ−５１（７５）、サニマルＰＣＳ、サニマルＳＮ−１５５、サニマルＳＴ−４５１、サラシミツロウ、ジイソプロパノールアミン、ジエチレングリコールモノブチルエーテル、ジオクチルソジウムスルホサクシネート、自己乳化型モノステアリン酸グリセリン、ジステアリン酸ポリエチレングリコール、ジセチルリン酸、ジブナートナトリウム、ショ糖脂肪酸エステル、親油型モノオレイン酸グリセリン、親油型モノステアリン酸グリセリン、水酸化カリウム、水酸化ナトリウム、水素添加大豆リン脂質、水素添加ラノリンアルコール、スクアレン、スクワラン、ステアリルアルコール、ステアリン酸、ステアリン酸カリウム、ステアリン酸ナトリウム、ステアリン酸ポリオキシル４０、精製大豆レシチン、精製ラノリン、精製卵黄レシチン、セスキオレイン酸ソルビタン、セタノール、セチル硫酸ナトリウム、セトステアリルアルコール、セトマクロゴール１０００、セバシン酸ジエチル、ゼラチン、Ｄ−ソルビトール、ソルポール２００、ソルポール２２４２、ソルポール２５３９Ａ、ソルポール２５００Ａ、ソルポール２５４０Ａ、ソルポール２６７６−Ｓ、ソルポール２７２０、ソルポール２７２１、ソルポール２８５０Ａ、ソルポール２８５２、ソルポール２９４２−Ｓ、ソルポール２９４４−Ｓ、ソルポール３００６−Ｋ、ソルポール３００６Ａ、ソルポール３００６ＤＢ、ソルポール３００８−Ｋ、ソルポール３００８Ａ、ソルポール３０８０、ソルポール３２６９、ソルポール５０、ソルポール９００Ａ、ソルポール９００Ｂ、ソルポールＡＣ−２３５７Ａ、ソルポールＡＣ−２４１１Ａ、ソルポールＡＣ−２７２１Ａ、ソルポールＡＥ１０２、ソルポールＭ２２４２、ソルポールＳＭ−１００Ｐ、ソルポールＳＭ−１００Ｓ、ソルポールＳＭ−２００、ソルポールＴＭ２、大豆レシチン、タルク、炭酸カルシウム、中鎖脂肪酸トリグリセリド、中性無水硫酸ナトリウム、テトラオレイン酸ポリオキシエチレンソルビット、デヒムルスＥ、灯油、トキサノンＶ１Ｄ、トキサノンＸＫ−３０、ドデシルベンゼンスルホン酸、トリイソステアリン酸ポリオキシエチレングリセリル、トリイソステアリン酸ポリオキシエチレングリセリン（３Ｅ．Ｏ．）、トリエタノールアミン、トリオレイン酸ソルビタン、トリオレイン酸ポリオキシエチレンソルビタン（２０Ｅ．Ｏ．）、トリステアリン酸ソルビタン、ニッコールＰＢＣ−１４、ニッコールワックス２２０、乳化剤ＡＣ２３３８Ａ、ニューカルゲン１０１５、ニューカルゲン１０１５−Ｐ、ニューカルゲン１０６６Ｋ、ニューカルゲン１０７０、ニューカルゲン１０７１、ニューカルゲン１５００ＴＥ１、ニューカルゲン１５８５ＴＥ１、ニューカルゲン１６１６−Ｄ１、ニューカルゲン１６１６−Ｄ６、ニューカルゲン１６１６Ｍ、ニューカルゲン１６５、ニューカルゲン１８５−Ｋ４、ニューカルゲン１８８０ＳＢ、ニューカルゲン２０４、ニューカルゲン２１１９−Ｋ、ニューカルゲンＣＰ−１２０、ニューカルゲンＥＰ３、ニューカルゲンＫＨ−１３、ニューカルゲンＫＨ−１５、ニューカルゲンＫＨ−２０Ｍ、ニューカルゲンＫＨ−２５、ニューカルゲンＫＬ−１３、ニューカルゲンＫＬ−２０Ｍ、ニューカルゲンＫＬ−２６、ニューコールＮＮ１５、ニューポールＬＢ−６５、ハイマール２１２、ハイマルＣＸ−８Ｃ、ハイマルＰＳ−９０Ａ、パラフィン、非イオン性自己乳化型ワックス、ヒドロキシプロピルセルロース、プロピレングリコール、プロピレングリコール脂肪酸エステル、ペクチン、ホスタファットＫＷ−３４０、ポリオキシエチレン（２０）ポリオキシプロピレン（４）セチルエーテル、ポリオキシエチレンアルキルエーテル、ポリオキシエチレンオクチルフェニルエーテル、ポリオキシエチレンオレイルエーテル、ポリオキシエチレンオレイルエーテルリン酸ナトリウム、ポリオキシエチレンステアリルエーテル、ポリオキシエチレンステアリルエーテルリン酸、ポリオキシエチレンセチルエーテル、ポリオキシエチレンセチルエーテルリン酸ナトリウム（５Ｅ．Ｏ．）、ポリオキシエチレンソルビットミツロウ、ポリオキシエチレンソルビットミツロウ（６Ｅ．Ｏ．）、ポリオキシエチレンヒマシ油、ポリオキシエチレンベヘニルエーテル、ポリオキシエチレンベヘニルエーテル（２０Ｅ．Ｏ．）、ポリオキシエチレン（１６０）ポリオキシプロピレン（３０）グリコール、ポリオキシエチレンラウリルエーテル、ポリオキシエチレンラノリン、ポリソルベート４０、ポリソルベート６０、ポリソルベート６５、ポリソルベート８０、マクロゴール２００００、マクロゴール３００、マクロゴール４００、ミリスチルアルコール、ミリスチン酸イソプロピル、ミリスチン酸オクチルドデシル、メチルセルロース、メチルナフタレン、α−モノイソステアリルグリセリルエーテル、モノオレイン酸ソルビタン、モノオレイン酸ポリエチレングリコール、モノオレイン酸ポリオキシエチレンソルビタン（６Ｅ．Ｏ．）、モノステアリン酸エチレングリコール、モノステアリン酸グリセリン、モノステアリン酸ソルビタン、モノステアリン酸プロピレングリコール、モノステアリン酸ポリエチレングリコール、モノステアリン酸ポリオキシエチレングリセリン、モノステアリン酸ポリオキシエチレンソルビタン（６Ｅ．Ｏ．）、モノパルミチン酸ソルビタン、モノラウリン酸ポリエチレングリコール（１０Ｅ．Ｏ．）、モノラウリン酸ポリオキシエチレンソルビタン（２０Ｅ．���．）、薬用石ケン、ヤシ脂肪酸、ヤシ油脂肪酸ジエタノールアミド、Ｎ−ラウロイル−Ｌ−グルタミン酸ナトリウム、ラウロマクロゴール、ラウロマクロゴール（６Ｅ．Ｏ．）、ラウロマクロゴール（９Ｅ．Ｏ．）、卵黄油、卵黄リン脂質、流動パラフィン、デカグリセリン脂肪酸エステル、ペンタエリスリトル脂肪酸エステル、ポリオキシエチレンアルキルエーテル、ポリオキシエチレンフィトスタノール、ポリオキシエチレンラノリンアルコール・ミツロウ誘導体、ポリオキシエチレンアルキルアミン・脂肪酸アミド、ポリオキシエチレンアルキルフェニルホルムアルデヒド縮合物、アルキル硫酸塩、ポリオキシエチレンアルキルエーテル硫酸塩、Ｎ−アシルアミノ酸とその塩、Ｎ−アシルメチルタウリン塩、ポリオキシエチレンアルキルエーテル酢酸塩、アルキルスルホカルボン酸塩，α−オレフィンスルホン酸塩、アルキルリン酸塩、ポリオキシエチレンアルキルエーテルリン酸塩、アルキルアンモニウム塩、アルキルベンジルアンモニウム塩、酢酸ベタイン、イミダゾリニウムベタイン、レチシン、脂肪酸エステル、多価アルコール脂肪酸エステル、アルキルグリセリエーテルと脂肪酸エステル、高級アルコール、炭化水素、天然動植物油、ビタミン誘導体、グリチルリチン酸，グリチルレチン酸とその誘導体などを添加し得る。
　【００２７】
　本発明の水性粘着剤組成物は、外用剤として使用するものであり、例えば湿布シートとして使用する場合は、上記各成分及び必要に応じて他の成分を水に混合し、よく練合してペースト状に調製し、これを紙、織布、不織布、プラスチックフィルム等のバッキングに塗布し、必要によりポリエチレンフィルムやポリプロピレンフィルム等のフェイシングを被覆することにより製品とする。このようなバッキングやフェイシングの材質等は、適宜選定することができ、例えばバッキングとして不織布を使用する場合は、その伸縮性を例えば特開平３−１６１４３１号、同３−１６１４３３号公報等に記載されている方法により求められる５０％伸長時伸長回復率によって表した場合に、外用剤の長さ方向の回復率が３０％以上、特に４０％以上であり、幅方向の回復率が４０％以上、特に５０％以上である不織布を使用すると、外用剤を皮膚に貼付した際に、特に関節の曲げに対する追従性が良好なので好適である。また、例えばフェイシングとして、ポリプロピレンフィルムを使用する場合は、柔軟性を有するものであって、表面にＮＤ型エンボス加工がされているものが好適である。また、フィルムの取り扱い性を考慮すれば、温度２０±２℃、湿度６５±５％において、厚さが０．１±０．０７ｍｍ程度、比重が２５±３ｇ／ｍ２程度であって、以下に説明する引張強度がフィルム製品としての長さ方向に対応する方向で０．８ｋｇｆ／ｃｍ以上、同幅方向に対応する方向で０．６ｋｇｆ／ｃｍ以上であって、伸び率がフィルム製品としての長さ方向に対応する方向で２００％以上、同幅方向に対応する方向で２８０％以上のフィルムが好適である。
　【００２８】
引張強度
　フィルム製品から製品幅×１００ｃｍの試験用試料を採取して、この試験用試料から測定方向に長さ５０ｍｍ、幅方向に１０ｍｍとなる試験片を各試験方向に５枚ずつ採取して、試験片を引張試験機の両つかみに、つかみ間隔が５０ｍｍとなるように取り付け、次いで引張速度５００ｍｍ／分で引っ張り、試験片が切断されるまで引張荷重を加え、各試験片が切断されるまでの間の最大荷重（引張強度；ｋｇｆ／ｃｍ）を求め、５枚の試験片の平均値を求める。
伸び率
　試験用試料から測定方向に長さ５０ｍｍ、幅方向に１０ｍｍとなる試験片を各試験方向に５枚ずつ採取して、各試験片の長さ方向中央に標点間の距離が４０ｍｍとなるように標線を付けた後、試験片を引張試験機の両つかみに、つかみ間隔が５０ｍｍとなるように取り付け、次いで引張速度５００ｍｍ／分で各試験片を引っ張り、切断時の標点間距離を測定し、各方向５枚ずつの試験片の標点間距離の平均値を求めて、下記式により各方向の伸び率を算出する。
　【００２９】
　【数１】
　【００３０】
　【発明の効果】
　本発明の水性粘着剤組成物は、清涼感を付与する物質と特定の植物から抽出される利尿作用を有する精油類及び／又はエキス類とを水性粘着基剤に配合することにより、外用剤として皮膚に適用した時に、浮腫抑制効果が高いのみならず、皮膚の痛みや発赤を生じることなく、安全性に優れた水性粘着剤組成物を得ることができる。従って、上記清涼感を付与する物質と
、セ
、シ
、タ
　【００３１】
　【実施例】
　以下、実施例及び比較例を示し、本発明を具体的に説明するが、本発明は下記の実施例に制限されるものではない。
　【００３２】
　［実施例１〜
７
　表１、２に示す各成分を常法に従いヘンシェルミキサーにより混合撹拌して水性粘着剤組成物を調製し、これを不織布上に７００±１００ｇ／ｍ２になるように均一に塗布して、ポリエチレンフィルムのフェイシングを施し、貼付剤を製造した。各貼付剤を用いて、下記カラゲニン足浮腫試験及びパッチテストを行った。結果を表１及び２に併記する。
　【００３３】
＜カラゲニン足浮腫試験＞
　体重１４０〜１６０ｇのウィスター系雄性ラットを一群１０匹として用い、各ラットの右後肢の足容積をボリュームディファレンシャルメーターで測定した後、１％カラゲニン懸濁液０．１ｍｌを気炎剤として同足蹠皮下にそれぞれ注射した。各貼付剤は、上記気炎剤注射の４時間前に右後肢に貼付しておいた。そして、注射後の右後肢の足容積を上記メーターで測定し、注射前後の足容積の差から下記式により浮腫率と各貼付剤の浮腫抑制率とを求めた。なお、試験中に貼付した貼付剤をラットが咬んだり舐めたりしないようにラットの頭部から前肢にかけて黒布袋で覆った。また、比較のため注射４時間前に貼付剤を貼付しない対照群についても同様の試験を行った。
　　浮腫率（％）＝［（Ｖｔ−Ｖｎ）／Ｖｎ］×１００
　　　　Ｖｎ：カラゲニン注射前の足容積
　　　　Ｖｔ：カラゲニン注射４時間後の足容積
　　浮腫抑制率（％）＝［（Ｅｃ−Ｅｔ）／Ｅｃ］×１００
　　　　Ｅｃ：対照群の平均浮腫率
　　　　Ｅｔ：貼付剤貼付群の平均浮腫率
　【００３４】
＜パッチテスト＞
　健常男子２０名の上腕部に上記実施例及び比較例の各貼付剤をそれぞれ貼付し、２４時間のクローズドパッチテストにより、各貼付剤の皮膚刺激性を調べ、下記の評価基準に基づいて官能評価した。
評価基準：
　　○：刺激なし
　　×：刺激あり
　【００３５】
　【表１】
　【００３６】
　【表２】
　【００３７】
　表１、２の結果より、本発明の水性粘着剤組成物は、貼付剤として皮膚に適用した際に、優れた浮腫抑制効果を得ることができ、且つ皮膚に対する刺激もないことが認められた。一方、水性粘着基剤に清涼感を付与する物質のみを配合した場合（比較例１）、満足する浮腫抑制効果を得ることができず、水性粘着基剤に利尿作用を有する精油類やエキス類のみを配合した場合（比較例２〜９）、満足する浮腫抑制効果を得ることができないか、皮膚に対する刺激が生じることが認められた。なお、上記パッチテストにおいて、各貼付剤の粘着性を観察したところ、比較例９の貼付剤については、液ダレやベタつき、貼付剤のはがれ等があったが、実施例１〜
７
　【００３８】
　次に、実施例１〜
７
気泡混入度
　実施例１〜
７
剥離性
　実施例１〜
７
凝集力
　実施例１〜
７
投錨力
　実施例１〜
７
取り出し性
　実施例１〜
７
水性粘着剤組成物のｐＨ
　実施例１〜
７
　【００３９】
　［実施例
８〜１０
　表３に示す各成分を常法に従いヘンシェルミキサーにより混合撹拌して水性粘着剤組成物を調製し、これをポリプロピレン不織布上に均一に塗布して、ポリプロピレンフィルムのフェイシングを施し、貼付剤を製造した。各貼付剤を用いて、上記実施例１〜
７
　【００４０】
　【表３】